(57)【要約】【課題】本発明は、タグ情報を記憶保持しているＲＦＩＤタグを備えたＲＦＩＤタグ付きラベルに関するものであり、ＲＦＩＤタグを回収するときに破損しにくくすることを目的とする。【解決手段】ＲＦＩＤタグ付きラベル５は、タグ情報を記憶保持したＲＦＩＤタグ１を回収する回収部８を備え、回収部８は、ラベル印刷面と反対側に袋９を有し、この袋９の中にＲＦＩＤタグ１の少なくとも一部を、袋には接着せずに収納している。使用後にＲＦＩＤタグ１が回収されるときには、ラベルシート７の回収部８のつまみ部８ａが指で引き上げられ、ミシン目８ｂに沿って破って切り離される。【選択図】図２
2009259075.tif 000002
【特許請求の範囲】
【請求項１】
タグ情報を記憶保持したＲＦＩＤタグを回収する回収部を備えたＲＦＩＤタグ付きラベルであって、
前記回収部は、ラベル印刷面と反対側に袋を有し、この袋の中に前記ＲＦＩＤタグの少なくとも一部を、前記袋には接着せずに収納していることを特徴とするＲＦＩＤタグ付きラベル。
【請求項２】
前記袋は、前記ＲＦＩＤタグの端部を収納していることを特徴とする請求項１に記載のＲＦＩＤタグ付きラベル。
【請求項３】
前記袋は、前記ＲＦＩＤタグの全体を収納していることを特徴とする請求項１に記載のＲＦＩＤタグ付きラベル。
【請求項４】
前記回収部は、ＲＦＩＤタグ付きラベルの本体から切り離すためのミシン目が形成されていることを特徴とする請求項１から請求項３のいずれか１項に記載のＲＦＩＤタグ付きラベル。
【請求項５】
前記ラベル印刷面と反対側の前記回収部の外周部は接着面としたことを特徴とする請求項１から請求項４のいずれか１項に記載のＲＦＩＤタグ付きラベル。
【発明の詳細な説明】
【技術分野】
【０００１】
本発明は、タグ情報を記憶保持しているＲＦＩＤタグを備えたＲＦＩＤ付きラベルに関する。
【背景技術】
【０００２】
近年、物流、物品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。例えば物流管理用途において、正確かつ迅速な作業を行うべくＲＦＩＤタグを備えた配送伝票が普及しつつある。
【０００３】
ＲＦＩＤタグは、タグ情報を記憶保持しているタグＩＣチップと、タグアンテナ部とを備えているが、このタグＩＣチップは高価なものであった。このような中で、配送伝票のコストを抑えるために、一度使用したＲＦＩＤタグを回収する提案がなされている。例えば、従来のＲＦＩＤタグ付きラベルは、ラベル本体の再剥離可能な部分にＲＦＩＤタグを接着し、ラベル本体のうちＲＦＩＤタグを接着した部分を後で回収すると共に、再剥離してＲＦＩＤタグを再利用していた（例えば、特許文献１を参照）。
【特許文献１】特開２００５−１０３９４２号公報
【発明の開示】
【発明が解決しようとする課題】
【０００４】
従来のＲＦＩＤタグ付きラベルは、ラベル印刷面と反対側の接着面にＲＦＩＤタグを接着し、ラベルを再剥離することでＲＦＩＤタグを回収していた。この場合、ラベルに接着されているＲＦＩＤタグを曲げながら剥がすことになり、タグＩＣチップ、タグアンテナ部およびタグＩＣチップとタグアンテナ部との接合部分に負荷がかかり、破損しやすいといった課題があった。
【０００５】
そこで、本発明はＲＦＩＤタグを回収するときに破損しにくくすることを目的とする。
【課題を解決するための手段】
【０００６】
この目的を達成するために、本発明のＲＦＩＤタグ付きラベルは、タグ情報を記憶保持したＲＦＩＤタグを回収する回収部を備えたＲＦＩＤタグ付きラベルであって、回収部は、ラベル印刷面と反対側に袋を有し、この袋の中にＲＦＩＤタグの少なくとも一部を、袋には接着せずに収納していることを特徴とする。このような構成により、初期の目的を達成するものである。
【発明の効果】
【０００７】
以上のように本発明は、タグ情報を記憶保持したＲＦＩＤタグを回収する回収部を備え、回収部は、ラベル印刷面と反対側に袋を有し、この袋の中にＲＦＩＤタグの少なくとも一部を、袋には接着せずに収納しているので、ＲＦＩＤタグ付きラベルからＲＦＩＤタグを回収するときに破損しにくくすることができる。
【発明を実施するための最良の形態】
【０００８】
以下、本発明の実施の形態について図面を用いて詳細に説明する。
【０００９】
（実施の形態１）
まず、図１を参照しながら、本発明の実施の形態１におけるＲＦＩＤタグ１の例について説明する。
【００１０】
図１は、本発明の実施の形態１に用いられるＲＦＩＤタグ１の正面図である。図１に示すように、ＲＦＩＤタグ１は、内部にタグ情報を記憶保持したタグＩＣチップ２と、このタグＩＣチップ２の端子に電気的に接続され、無線信号を受信するタグアンテナ部３と、薄いフィルムなどの樹脂製の基板４とを備え、タグＩＣチップ２とタグアンテナ部３が基板４の表面に形成されている。
【００１１】
ＲＦＩＤタグ１は、変形させやすい基板４の表面に形成されていることから、容易に曲げられ、曲げられたときに特にタグＩＣチップ２とタグアンテナ部３との接合部分が破損しやすいという特性がある。
【００１２】
次に、図２〜図４を参照しながら、上記したＲＦＩＤタグ１を保持したＲＦＩＤタグ付きラベル５について説明する。図２は本発明の実施の形態１におけるＲＦＩＤタグ付きラベル５の正面図、図３は同ＲＦＩＤタグ付きラベル５の分解断面側面図、図４は同ＲＦＩＤタグ付きラベル５の回収部８の背面図である。
【００１３】
図２および図３に示すように、ＲＦＩＤタグ付きラベル５は、両面接着シート６の表面側にラベルシート７が接着されている。ラベルシート７は、紙やプラスチックフィルムなどで形成され、その表面に商品名やバーコードなどが印刷される。
【００１４】
また、ＲＦＩＤタグ付きラベル５は、ＲＦＩＤタグ１を回収するための回収部８を備え、回収部８は、ＲＦＩＤタグ付きラベル５の本体から切り離すためのミシン目８ｂが形成されている。したがって、つまみ部８ａをつまんで回収部８を本体から剥がすことにより、ミシン目８ｂが破断して回収部８を切り離すことができる。これによって、ＲＦＩＤタグ１を回収することができる。
【００１５】
さらに、この回収部８の裏面側に、ＲＦＩＤタグ１を保持する袋９を形成するための帯紙１０が設けられ、この帯紙１０の上下および辺部の接着部１０ａが回収部８に接着されている。この袋９はＲＦＩＤタグ１の少なくとも一部を、袋９には接着せずに収納できる大きさに形成されている。例えば、ＲＦＩＤタグ１の一方の端部を収納することができる寸法に形成されている。
【００１６】
また、ラベルシート７のラベル印刷面と反対側の回収部８の外周部を接着するようにした。すなわち、袋９およびＲＦＩＤタグ１の部分が両面接着シート６に貼り付かないように、対向する部分の両面接着シート６にカバーシート１１を設けている。カバーシート１１は、両面接着シート６に接着されている。なお、カバーシート１１に代えて、回収部８と対向する部分にあたる両面接着シート６の領域に接着剤を塗布しないようにしてもよい。これによっても、カバーシート１１と同様に、回収部８が両面接着シート６に貼り付かない。
【００１７】
このような構成により、ＲＦＩＤタグ１を商品に取り付けるときには、まず、表面に必要な印刷などが施されたラベルシート７の裏面側の袋９にＲＦＩＤタグ１が横から挿入されて収容され、ラベルシート７が両面接着シート６に貼り合わされてＲＦＩＤタグ付きラベル５が作成される。そして、両面接着シート６で商品などの表面に貼り付けられる。ＲＦＩＤタグ１には商品の品名、出荷日、流通経路などの管理情報が書き込まれている。
【００１８】
この状態で商品の搬送時における識別、追跡などのためにＲＦＩＤタグ１が利用される。
【００１９】
使用後にＲＦＩＤタグ１が回収されるときには、ラベルシート７の回収部８のつまみ部８ａが指で引き上げられ、ミシン目８ｂに沿って破って剥がされる。このとき、回収部８に設けられた袋９はＲＦＩＤタグ１の一方の端部のみを袋９には接着せずに収納しているので、回収部８を剥がすときに回収部８が多少湾曲しても中に収納したＲＦＩＤタグ１には直接応力がかかることがなく、ＲＦＩＤタグ１が折れ曲げられることもない。したがって、タグＩＣチップ２とタグアンテナ部３との接合部分の負荷を抑え、破損しないようにすることができる。
【００２０】
また、図４に示すように、ＲＦＩＤタグ付きラベル５の本体から回収部８を剥がしたとき、ＲＦＩＤタグ１の一部がまだ袋９に収納されている状態であるため、剥がしたときに誤ってＲＦＩＤタグ１を落として破損するのを防止することができる。
【００２１】
そして、回収部８の大部分をＲＦＩＤタグ付きラベル５の本体から切り離した状態か完全に切り離した状態で、袋９からＲＦＩＤタグ１を取り出して回収する。
【００２２】
以上のように、実施の形態１のＲＦＩＤタグ付きラベル５によれば、タグ情報を記憶保持したＲＦＩＤタグ１を回収する回収部８を備え、回収部８はラベル印刷面と反対側に袋９を有し、この袋９の中にＲＦＩＤタグ１の少なくとも一部を、袋９には接着せずに収納しているので、ＲＦＩＤタグ付きラベル５からＲＦＩＤタグ１を回収するときにＲＦＩＤタグ１を損傷させることなく回収することができ、再使用することができる。これにより、ＲＦＩＤタグ付きラベル５のコストの低減を図ることができる。
【００２３】
なお、回収部８はミシン目などで切り離される以外にも、最初から所定の形状に切断しておき、袋９を取り付け、ＲＦＩＤタグ１を収納してから両面接着シート６に貼り付けるようにしてもよい。
【００２４】
（実施の形態２）
次に、図５〜図８を参照しながら、本発明の実施の形態２におけるＲＦＩＤタグ付きラベル２０について説明する。図５は本発明の実施の形態２におけるＲＦＩＤタグ付きラベル２０の正面図、図６は同ＲＦＩＤタグ付きラベル２０の分解断面側面図、図７は同ＲＦＩＤタグ付きラベルの回収部２１の背面図、図８は同回収部２１を剥がす状態の正面図である。
【００２５】
実施の形態１では、ＲＦＩＤタグ１の端部を収納するようにしたが、実施の形態２ではＲＦＩＤタグ１の全体を収納するようにした点で異なる。
【００２６】
このために、図５〜図７に示すように、ＲＦＩＤタグ付きラベル２０はＲＦＩＤタグ１の全体を収納するために、ＲＦＩＤタグ１よりサイズが大きい袋１２を備えている。袋１２の一方の側辺は開封され、この開封部からＲＦＩＤタグ１を袋１２には接着せずに収納する。そして、袋１２の他方の側辺部にある接着部１２ａは回収部２１に接着されている。
【００２７】
このようにしたため、ＲＦＩＤタグ付きラベル２０では、ＲＦＩＤタグ１の全体が袋１２には接着せずに収納されている。
【００２８】
そして使用後、図８に示すように、回収部２１がＲＦＩＤタグ付きラベル２０の本体から剥がされるとき、袋１２の一方の側辺部は回収部２１から離れて自由になるため、この袋１２に収納されているＲＦＩＤタグ１にはまったく曲げ応力がかからないという利点がある。しかも袋１２の接着部１２ａは、回収部２１に接着されたままの状態であるので、袋１２を落下させることもない。したがって、ＲＦＩＤタグ１を損傷させることもない。
【００２９】
したがって、このＲＦＩＤタグ付きラベル２０によれば、さらに安全にＲＦＩＤタグ１を回収することができる。なお、袋１２を密閉して防水してもよい。これにより、ＲＦＩＤタグ１を水分から守り、腐食を抑えることができる。
【００３０】
（実施の形態３）
次に、図９および図１０を参照しながら、本発明の実施の形態３におけるＲＦＩＤタグ付きラベル２３について説明する。図９は本発明の実施の形態３におけるＲＦＩＤタグ付きラベル２３の正面図、図１０（Ａ）〜（Ｄ）は同ＲＦＩＤタグ付きラベル２３の各層の正面図である。
【００３１】
図９および図１０（Ａ）〜（Ｄ）に示すように、ＲＦＩＤタグ付きラベル２３は、多重伝票式のものである。例えば、ＲＦＩＤタグ付きラベル２３の１層目は図１０（Ａ）に示すように商品名などが印刷されたラベルシート１３である。また、ＲＦＩＤタグ付きラベル２３の２層目は図１０（Ｂ）に示すようにＲＦＩＤタグ１を収納すると共に回収するための回収シートとしての回収部１４である。そして、ＲＦＩＤタグ付きラベル２３の３層目は図１０（Ｃ）に示すように裏シート１５、最下層の４層目は図１０（Ｄ）に示すように両面接着シート１６である。
【００３２】
ラベルシート１３は、回収部１４、裏シート１５および両面接着シート１６より短く作成されている。
【００３３】
ＲＦＩＤタグ付きラベル２３は、まず、回収部１４の裏面側にＲＦＩＤタグ１を収納する袋１７が取り付けられており、この袋１７の中にＲＦＩＤタグ１の全体が袋１７には接着せずに収納される。この回収部１４には、使用後の回収用にミシン目１４ａが設けられている。
【００３４】
このようなＲＦＩＤタグ付きラベル２３では、両面接着シート１６の表面側に裏シート１５が重ねられて接着される。その上に、回収部１４が重ねられる。そして、回収部１４の上辺の接着部１４ｂが裏シート１５の上辺の接着部１５ａに接着される。さらにその上に、ラベルシート１３が、その上辺と両側辺が回収部の接着部１４ｂと裏シート１５の接着部１５ｂとに接着されて取り付けられる。
【００３５】
そして、このＲＦＩＤタグ付きラベル２３は両面接着シート１６により商品などに貼り付けられて使用される。
【００３６】
使用後には、回収部１４の下辺が下方に引かれることにより、ミシン目１４ａの部分でＲＦＩＤタグ付きラベル２３の本体から分離され、袋１７とＲＦＩＤタグ１とが引き出される。そこで、袋１７からＲＦＩＤタグ１を取り出すことにより回収することができる。
【００３７】
このＲＦＩＤタグ付きラベル２３においても、ＲＦＩＤタグ１を回収する際にＲＦＩＤタグ１に力が加わることがないので、ＲＦＩＤタグ１を損傷することなく安全に回収することができる。
【００３８】
なお、ＲＦＩＤタグ１を収納する袋９、１２、１７は上記したような実施の形態１〜３のものに限定されることはなく、任意の形状などのものを使用することができる。
【産業上の利用可能性】
【００３９】
以上のように本発明は、ＲＦＩＤタグ付きラベルにＲＦＩＤタグを収納する回収部を備え、この回収部に袋を設け、その中にＲＦＩＤタグの少なくとも一部を、袋には接着せずに収納するようにしたので、使用後にＲＦＩＤタグを回収する際にＲＦＩＤタグに不要な力がかからず、ＲＦＩＤタグを損傷させることなく回収することができ、再使用することができる。したがって、商品などに取り付けるＲＦＩＤタグ付きラベルなどに有用である。
【図面の簡単な説明】
【００４０】
【図１】本発明の実施の形態１に用いられるＲＦＩＤタグの正面図
【図２】本発明の実施の形態１におけるＲＦＩＤタグ付きラベルの正面図
【図３】同ＲＦＩＤタグ付きラベルの分解断面側面図
【図４】同ＲＦＩＤタグ付きラベルの回収部の背面図
【図５】本発明の実施の形態２におけるＲＦＩＤタグ付きラベルの正面図
【図６】同ＲＦＩＤタグ付きラベルの分解断面側面図
【図７】同ＲＦＩＤタグ付きラベルの回収部の背面図
【図８】同回収部を剥がす状態の正面図
【図９】本発明の実施の形態３におけるＲＦＩＤタグ付きラベルの正面図
【図１０】（Ａ）〜（Ｄ）同ＲＦＩＤタグ付きラベルの各層の正面図
【符号の説明】
【００４１】
１    ＲＦＩＤタグ
２    タグＩＣチップ
３    タグアンテナ部
４    基板
５，２０，２３    ＲＦＩＤタグ付きラベル
６，１６    両面接着シート
７，１３    ラベルシート
８，１４，２１    回収部
８ａ    つまみ部
８ｂ，１４ａ    ミシン目
９，１２，１７    袋
１０    帯紙
１０ａ，１２ａ，１４ｂ，１５ａ，１５ｂ    接着部
１１    カバーシート
１５    裏シート
【図１】
2009259075.tif 000003
【図２】
2009259075.tif 000004
【図３】
2009259075.tif 000005
【図４】
2009259075.tif 000006
【図５】
2009259075.tif 000007
【図６】
2009259075.tif 000008
【図７】
2009259075.tif 000009
【図８】
2009259075.tif 000010
【図９】
2009259075.tif 000011
【図１０】
2009259075.tif 000012